(57)【要約】【課題】ボ−ルの跳ね返り強度と方が実戦に近く、かつ軽量なバレ−ボ−ルブロックマットの提供【解決手段】この考案のバレ−ボ−ルブロックマットは、左右側面及び上面を連続的にファスナ１で結合し、背面４を適宜間隔を置いて、隔壁材５で結合して区切り、隔壁材５で仕切られた空間部Ｇに、上面と前後左右の側面に丸味を付けた略かまぼこ状の発泡ポリスチロ−ルからなる上部材ａを前面２側に位置するように装着し、残余の空間部に、複数枚の板状の発泡ポリスチロ−ルからなる下部材ｂを充填した箱状部材Ａと硬質ポリエチレンパイプからなる軽量な支持部材Ｂとから構成されている。【選択図】図４
0003104000.tif 000002
【実用新案登録請求の範囲】
【請求項１】
左右側面及び上面を連続的にファスナ（１）で結合し、前面（２）と空気抜き穴（３）を設けた背面（４）を適宜間隔を置いて、隔壁材（５）で結合して区切り、該隔壁材（５）で仕切られた空間部（Ｇ）に、上面と前後左右の側面に丸味を付けた略かまぼこ状の発泡ポリスチロ−ルからなる上部材（ａ）を前記前面（２）側に位置するように装着し、残余の空間部に、複数枚の板状の発泡ポリスチロ−ルからなる下部材（ｂ）を充填し、前記背面（４）に、下方が開放し、下縁部に適宜間隔を置いてはと目（６）を設けた袋体（７）を取付けてなる帆布などの布地からなる箱状部材（Ａ）と、上部を前記袋体（７）に挿入装着したとき、該袋体（７）の下縁よりも若干下側に横桟（８）を設けた軽量な支持部材（Ｂ）とからなることを特徴とするバレ−ボ−ルブロックマット
【考案の詳細な説明】
【技術分野】
【０００１】
本考案はバレ−ボ−ルのブロックの練習の際に使用するバレ−ボ−ルブロックマットに関するものである。
【背景技術】
【０００２】
従来、バレボ−ルのブロックの練習には、長方形の枠体にネットを張った部材とか椅子の背の部分などが使用されていた。これらの部材を、例えば、バレ−ボ−ルのコ−チが、前記ネット部分や椅子の背の部分がバレボ−ルのネットから若干上に出るように支持し、選手たちは、ボ−ルを前記ネットや椅子の背の部分に打ち付け、前記ネットや椅子の背によってブッロクされて、跳ね返ってくるボ−ルの処理の練習をしていたので、次のような欠点があった。
（１）前記ブロック部材が、選手の掌、腕などの硬さに比べ、硬いので、跳ね返りのボ−ルのスピ−ドが速く過ぎて、実際の局面に合った練習ができない。
（２）前記ブロック部材の角などにボ−ルが当たると、実戦とは全く違った方向にボ−ルが飛んでいき、実際の局面に合った練習ができない。
（３）前記ブロック部材を手で支持すので、疲れる。
前記欠点を解消するために、出願人は、すでに実用新案登録第３０６１８７２号で開示しているような考案をなし、殆どの欠点の解消に成功したが、また次のような改良点があることを見出した。
（１）仕切の空間部でボ−ルが当たる前面部にウエスを充填しているので、ボ−ルの跳ね返りが弱く、また跳ね返りの方向が実戦とは若干異なる。
（２）前記ウエスが吸湿し重くなる。
（３）支持部材が重い。
【特許文献１】実用新案登録第３０６１８７２号公報
【考案の開示】
【考案が解決しようとする課題】
【０００３】
この考案は、背景技術でで記述した改良点に鑑みなされたもので、ボ−ルの跳ね返り強度と方向が実戦に近く、かつ軽量なバレ−ボ−ルブロックマットの提供を目的とするものである。
【課題を解決するための手段】
【０００４】
この考案のバレ−ボ−ルブロックマットは、左右側面及び上面を連続的にファスナで結合し、前面と空気抜き穴を設けた背面を適宜間隔を置いて、隔壁材で結合して区切り、該隔壁材で仕切られた空間部に、上面と前後左右の側面に丸味を付けた略かまぼこ状の発泡ポリスチロ−ルからなる上部材を前記前面側に位置するように装着し、残余の空間部に、複数枚の板状の発泡ポリスチロ−ルからなる下部材を充填し、前記背面に、下方が開放し、下縁部に適宜間隔を置いてはと目を設けた袋体を取付けてなる帆布などの布地からなる箱状部材と、上部を前記袋体に挿入装着したとき、該袋体の下縁よりも若干下側に横桟を設けた軽量な支持部材とからなることを特徴とするものである。
【考案の効果】
【０００５】
この考案は上述のように構成されているので、次のような効果を奏する。
（１）箱状部材の仕切られた空間部への上部材と下部材とからなる詰め物が全て発泡ポリスチロ−ルで軽く、かつボ−ルが当たる上部材の全ての面は、丸味を付しているので、跳ね返るボ−ルの方向とスピ−ドが実戦に近い。
（２）前記詰め物は、軽く、かつ吸湿しないので、吸湿により重くなるということがない。
（３）支持部材を硬質ポリエチレンパイプ等の軽量な材料で作っているので、軽い。
【考案を実施するための最良の形態】
【０００６】
ボ−ルの跳ね返り強度と方向が実戦に近く、かつ軽量なバレ−ボ−ルブロックマットの提供という目的を、上面と前後左右の側面に丸味を付けた略かまぼこ状の発泡ポリスチロ−ルからなる上部材と軽量な支持部材の採用により実現できた。
【実施例】
【０００７】
この考案の実施の形態の一例を図面を参照しながら説明するに、図１〜図５に示すように、左右側面及び上面を連続的にファスナ１で結合し、前面２と空気抜き穴３を設けた背面４を適宜間隔を置いて、隔壁材５で結合して区切り、隔壁材５で仕切られた空間部Ｇに、上面と前後左右の側面に丸味を付けた略かまぼこ状の発泡ポリスチロ−ルからなる上部材ａを前面２側に位置するように装着し、残余の空間部に、複数枚の板状の発泡ポリスチロ−ルからなる下部材ｂを充填し、背面４に、下方が開放し、下縁部に適宜間隔を置いてはと目６を設けた袋体７を取付けてなる帆布などの布地からなる箱状部材Ａと、上部を袋体７に挿入装着したとき、袋体７の下縁よりも若干下側に横桟８を設けてなる軽量な支持部材Ｂとの組合せからなっている。
【０００８】
箱状部材Ａのファスナ１を開くと、左右側面と上面が開き、その開口部から隔壁材５で仕切られた空間部Ｇに、図４に示すように、発泡ポリスチロ−ルからなる上部材ａや下部材ｂを詰めることができるようになっている。なお、隔壁材５は、縫製によって、箱状部材Ａの前面２と背面４に縫いつけられている。
【０００９】
空間部Ｇに発泡ポリスチロ−ルからなる上部材ａと下部材ｂを詰めると、箱状部材Ａの前面２が隔壁材５を挟んで円弧状になるとともに、縁部全が丸味を帯び、角部が一切生じないので、跳ね返るボ−ルの方向が実戦に近くなる。
なお、下部材ｂの枚数を増やせば、ブロック時のボ−ルの跳ね返りのスピ−ドが速くなり、実業団などの高級者向けに適し、逆に枚数を減らすと、ブロック時のボ−ルの跳ね返りのスピ−ドは遅くなり、中学、高校生など中低級者向けに適したように調整できる。
【００１０】
支持部材Ｂは、軽量な硬質ポリエチレンパイプからなり、図３に示すように、箱状部材Ａの袋体７に、上部を挿入装着したのち、袋体７の下縁部のはと目６に紐９を通し、この紐９を支部材Ｂの横桟８に縛り付け、箱状部材Ａを支持部材Ｂに取り付けることができるようになっている。
【産業上の利用可能性】
【００１１】
上級者から初心者向けのバレボ−ルのブロックの練習用部材として利用できる。
【図面の簡単な説明】
【００１２】
【図１】本考案の箱状部材の一実施例を示す斜視図
【図２】箱状部材の背面図
【図３】支持部材を箱状部材の袋体に装着した状態を示す背面図
【図４】箱状部材の空間部に上部材と下部材を詰めた状態を示す断面図
【図５】上部材と下部材の概略斜視図
【符号の説明】
【００１３】
１ ファスナ
２ 前面
３ 空気抜き穴
４ 背面
５ 隔壁材
６ はと目
７ 袋体
８ 横桟
９ 紐
Ａ 箱状部材
Ｂ 支持部材
Ｇ 空間部
ａ 上部材
ｂ 下部材
【図１】
0003104000.tif 000003
【図２】
0003104000.tif 000004
【図３】
0003104000.tif 000005
【図４】
0003104000.tif 000006
【図５】
0003104000.tif 000007